(57)【要約】【課題】モニタ情報の報知内容に応じて複数の色を複数の領域で発光させるモニタ表示バーである場合、モニタランプ１０２の数がエリア１０３毎に異なるように配置すると、単色のエリア１０３や複数の色のエリア１０３を有することになり、同色同士の距離がバラバラになって配列バランスが崩れ、遠目ではモニタランプ１０２同士が繋がって見えたり、モニタランプ１０２の発光数で時間を計測している場合では目視で時間を確認しづらいなどの懸念があり、美観性も損なってしまうという恐れがあった。【解決手段】前記モニタランプは、前記エリア毎の同色のモニタランプ同士の距離が等しくなるように配置したことで、異なるエリア２９に有した同色のモニタランプ２５の距離を等しくすることで同色同士の距離がバラバラになり配列バランスが崩れてしまうのを防止して視認性が向上すると共に、規則正しい配列により美観性が向上する。【選択図】図４
2019106645.tif 000002
【特許請求の範囲】
【請求項１】
リモコンには、発光体であるモニタランプの点灯及び消灯を繰り返してモニタ情報を報知するモニタ表示バーが設けられており、前記モニタ表示バーは、複数の色もしくは１つの色の前記モニタランプを有したエリアと、前記エリアを複数連続して一列に並べたものを覆うカバーとを備え、前記モニタランプは、前記エリア毎の同色のモニタランプ同士の距離が等しくなるように配置されているようにしたことを特徴とするリモコン。
【請求項２】
リモコンには、発光体であるモニタランプの点灯及び消灯を繰り返してモニタ情報を報知するモニタ表示バーが設けられており、前記モニタ表示バーは、複数の色もしくは１つの色の前記モニタランプを有したエリアと、前記エリアを複数連続して一列に並べたものを覆うカバーとを備え、少なくとも各前記エリアに１つは前記モニタランプを有しており、前記１つのエリアの中心から等しくオフセットした位置に同色の前記モニタランプを配置し、更に前記エリアに他色の前記モニタランプを配置し、前記同色のモニタランプから等しくオフセットした位置に前記他色のモニタランプを配置されているようにしたことを特徴とするリモコン。
【請求項３】
前記カバーは半透明の拡散素材で構成されたことを特徴とする請求項１または２に記載のリモコン。
【発明の詳細な説明】
【技術分野】
【０００１】
本発明は、給湯機等の住宅設備機器を制御するリモコンに関するものである。
【背景技術】
【０００２】
従来より、特許文献１のような給湯機のリモコンは、各種スイッチが設けられており、各種スイッチにより設定された情報や、リモコンと有線もしくは無線で接続された給湯機本体から送信された情報を表示する表示部が備えられていた。
【０００３】
また、例えば図８のようなリモコン１０１には、赤白緑のモニタランプ１０２と、モニタランプ１０２を複数もしくは１つを有するエリア１０３と、エリア１０３を一直線に複数並べて、複数のエリア１０３を覆うカバー１０４とで構成されたモニタ表示バー１０５が設けられていた。そして、このモニタ表示バー１０５の発光色や発光パターンからモニタ情報を報知するようなものが知られている。
【先行技術文献】
【特許文献】
【０００４】
【特許文献１】特開２０１０−２３９４７６号公報（図４）
【発明の概要】
【発明が解決しようとする課題】
【０００５】
しかし、モニタ情報の報知内容に応じて複数の色を複数の領域で発光させるモニタ表示バーである場合、モニタランプ１０２の数がエリア１０３毎に異なるように配置すると、単色のエリア１０３や複数の色のエリア１０３を有することになり、同色同士の距離がバラバラになって配列バランスが崩れ、遠目ではモニタランプ１０２同士が繋がって見えたり、モニタランプ１０２の発光数で時間を計測している場合では目視で時間を確認しづらいなどの懸念があり、美観性も損なってしまうという恐れがあった。
【課題を解決するための手段】
【０００６】
本発明は上記課題を解決するため、リモコンには、発光体であるモニタランプの点灯及び消灯を繰り返してモニタ情報を報知するモニタ表示バーが設けられており、前記モニタ表示バーは、複数の色もしくは１つの色の前記モニタランプを有したエリアと、前記エリアを複数連続して一列に並べたものを覆うカバーとを備え、前記モニタランプは、前記エリア毎の同色のモニタランプ同士の距離が等しくなるように配置されているようにした。
【０００７】
また、リモコンには、発光体であるモニタランプの点灯及び消灯を繰り返してモニタ情報を報知するモニタ表示バーが設けられており、前記モニタ表示バーは、複数の色もしくは１つの色の前記モニタランプを有したエリアと、前記エリアを複数連続して一列に並べたものを覆うカバーとを備え、少なくとも各前記エリアに１つは前記モニタランプを有しており、前記１つのエリアの中心から等しくオフセットした位置に同色の前記モニタランプを配置し、更に前記エリアに他色の前記モニタランプを配置し、前記同色のモニタランプから等しくオフセットした位置に前記他色のモニタランプを配置されているようにした。
【０００８】
また、前記カバーは半透明の拡散素材で構成された。
【発明の効果】
【０００９】
このように本発明によれば、異なるエリアに有した同色のモニタランプの距離を等しくすることで同色同士の距離がバラバラになり配列バランスが崩れてしまうのを防止して視認性が向上すると共に、規則正しい配列により美観性が向上する。
【図面の簡単な説明】
【００１０】
【図１】この発明の第１の実施例の概略説明図
【図２】この発明の風呂リモコンの正面図
【図３】この発明の台所リモコンの正面図
【図４】この発明のモニタ表示バーの拡大詳細図
【図５】この発明の入室判定及び入浴判定のフロー図
【図６】この発明の入浴判定後の見まもり運転のフロー図
【図７】この発明のモニタ表示バーの発光パターンを表す図
【図８】従来のモニタ表示バーの拡大詳細図
【発明を実施するための形態】
【００１１】
本発明の住宅設備機器のリモコンの第１実施例を図１に基づいて説明する。
１は給湯機本体等の住宅設備機器、２は屋内の浴室、３は浴室２内に設けられた住宅設備機器の浴室リモコン、４は風呂リモコンの制御を行っている風呂マイコン、５は浴室外に設けられた台所リモコン、６は台所リモコンの制御を行っている台所マイコン、７は住宅設備機器の本体制御装置、８は本体制御装置５と浴室リモコン３のマイコン４と台所リモコン５のマイコン６を通信可能に接続する通信ケーブル、９は住宅設備機器１と浴室２内の浴槽とをつなぐ浴槽配管である。
【００１２】
１０は湯水の水圧から浴槽内の水位を検出する水位センサであり、具体的に本体制御装置７は人が浴槽内に入浴または浴槽外に出たときの出浴で生じる圧力変化を水位センサ１０で検出し、検出結果に基づいて、浴槽に人が入浴したのか、または、浴槽から人が出浴したのかを判定している。
【００１３】
次に浴室リモコン３の詳しい説明を図２に基づいて説明する。
１１は後述する風呂自動運転を開始させる風呂自動スイッチ、１２は台所リモコン５と有線あるいは無線で通信をして、会話することができる通話スイッチ、１３はその他追い焚き運転や浴室優先等を指示する各種スイッチ、１４はスイッチの操作内容や給湯機の動作状態を表示するモニター等の表示部、１５は浴室内における人の有無を検出する人感センサである。
【００１４】
人感センサ１５は、検出エリア内の熱源の温度変化量を検出する焦電センサであり、浴室に人がいることを検出する。具体的には、人感センサ１５は、人が移動したときや手足などを動かすことによる検出エリアの温度変化を検出することにより、浴室内に人が在室しているか否かを検出するものであり、人感センサ１５の検出結果に基づいて、制御装置７で浴室内への入室と浴室外への退室との判定を行う。また、人が移動したときや手足などを動かすことによる検出エリアの温度変化を検出しているので、入室判定だけでなく人の動き判定を行うこともできる。
【００１５】
１６はＬＥＤ（発光ダイオード）等により形成された発光体を用いて、スイッチの点灯及び点滅、消灯を行うことができるスイッチランプである。これによりリモコンからはなれて表示部１４が見えない位置からでもランプの光で確認することで、在室判断や運転状況をスイッチランプであり、それぞれのスイッチごとに、スイッチ操作がされて、オン動作になったときにはスイッチランプ１６の点灯（又は点滅）表示が行われ、オフ動作になったときにはスイッチランプ１６は消灯されるように構成されている。
【００１６】
１７はリモコンの表示部１４の下に水平に設け、ＬＥＤ（発光ダイオード）等を複数連続して一列に並べて設けたモニタ表示バーである。
【００１７】
次に台所リモコン５の詳しい説明を図３に基づいて説明する。
１７は後述する風呂自動運転を開始させる風呂自動スイッチ、１８は台所リモコン５と有線あるいは無線で通信をして、会話することができる通話スイッチ、１９はその他追い焚き運転や浴室優先等を指示する各種スイッチ、２０はスイッチの操作内容や給湯機の動作状態を表示するモニター等の表示手段、２１はスイッチランプ、２２はモニタ表示バーである。
【００１８】
台所リモコン５の説明は、風呂リモコン３で説明した名称と同じ名称の機具である場合は説明を省略する。
【００１９】
次に、モニタ表示バー２３を図４に基づいて詳しく説明する（この図７では台所リモコン５を用いて説明するが、風呂リモコン３のモニタ表示バー１７も同様の構成である）。
モニタ表示バー２３は、モニタ表示バー２３の全体を覆う半透明のカバー２４と、発光体であるモニタランプ２５（発光ダイオード）と、モニタランプ２５を複数の色もしくは一色を有したエリア２６とを備え、このエリア２６を複数連続して一列に並べてカバー２４で覆うことで構成されている。このそれぞれのモニタランプ２５が別々に点灯もしくは点滅、消灯が行えるものである（ここでは５つのエリア２６を連続して一列に並べてカバー２４で覆うことでモニタ表示バー１７としている）。
【００２０】
また、モニタランプ２５の発光色も複数の色（例えば白、緑、赤）を使い分けることで、用途に応じた報知を行うことができる。さらに設定された時間毎（例えば１０分刻み）に応じて、点灯と消灯を切り替えることで、残り時間の報知や使用経過時間の報知、貯湯タンクの残湯量に応じたシャワーの可能時間の報知も行うことができる。
【００２１】
また、半透明のカバー２４は透過性のある拡散素材であり、モニタランプ２５の発光を受けると光が拡散するように見えるので、モニタランプ２５が真ん中からずれても１つのエリア２６に光が広がって見え、視認性に影響なく使用できる。
【００２２】
また、本体制御装置７には、人感センサ１５の検出結果に応じて人が浴室内に入室したのか、人が浴室外に退出したのかを判定すると共に、人が浴室内で動いているかを判定する動き判定手段２７と、水位センサ１０の検出結果に応じて人が風呂に入浴したのか、風呂から出浴したのかを判定する入浴判定手段２８と、後述する見まもり運転の設定がされている場合、入浴判定手段２４が入浴と判定してからの時間を計測すると共に、予め設定された入浴に適した時間である設定入浴時間（ここでは１０分）経過後に、人の動きが検出されていない継続時間を計測するタイマー手段２９を設けている。
【００２３】
次に図５のフローチャートに基づいて入室判定と入浴判定について説明する。
まず、湯張り運転が完了したあと、本体制御装置７は、人感センサ１５が浴室内に人の動きを検出し、人感センサ１５の検出結果に基づいて動き判定手段２７が入室ありと判定すると（Ｓ１がＹｅｓ）、本体制御装置７は、入室フラグ：Ｆ１＝１と記憶する（Ｓ２）。
【００２４】
そのまま、入浴判定手段２８が入浴と判定せずに、動き判定手段２７が浴室から人が退室したと判定すると（Ｓ３がＹｅｓ）、本体制御装置７は、入室フラグ：Ｆ１＝０と記憶する（Ｓ４）。
【００２５】
また、動き判定手段２７が退室と判定せずに（Ｓ３がＮｏ）、本体制御装置７が入浴と判定すると（Ｓ５がＹｅｓ）、本体制御装置７は、入室フラグ：Ｆ１＝１かつ入浴フラグ：Ｆ２＝１と記憶する（Ｓ６）。
【００２６】
そして、入浴判定手段２８が出浴と判定すると（Ｓ７がＹｅｓ）、本体制御装置７は、入浴フラグ：Ｆ２＝０と記憶する（Ｓ８）。
【００２７】
その後、動き判定手段２７が浴室から人が退室したと判定すると（Ｓ９がＹｅｓ）本体制御装置７は入室フラグ：Ｆ１＝０かつ入浴フラグ：Ｆ２＝０と記憶し（Ｓ１０）、Ｓ１へ戻る。そして、同様の動作を繰り返す。この繰り返し動作は、湯張り完了後から所定期間（ここでは３時間）の間または風呂リモコン３および台所リモコン５の電源が切られるまで継続する。
【００２８】
次に、入浴判定を行ってからの出浴判定を行うまでに発生する入浴事故を防ぐための見まもり運転について図６のフローチャートに基づいて説明する。
入浴判定手段２８は、水位センサ１０の検出結果から入浴したと判定されると、タイマー手段２９によるカウントを開始し（Ｓ１１）、設定入浴時間（ここでは１０分）が経過した場合は（Ｓ１３がＹｅｓ）、本体制御装置７は風呂リモコン３に内蔵されたスピーカ及び表示部１４で、出浴を促す報知を行う（Ｓ１４）。
【００２９】
また、設定入浴時間が経過する前に、水位センサ１０の検出結果から出浴したと判定がされた場合は（Ｓ１２がＹｅｓ）、タイマーカウントを終了する（Ｓ１５）。
【００３０】
さらに、出浴を促す報知後、人感センサ１５で浴室内の動きが検知されない場合（Ｓ１６がＹｅｓ）、タイマー手段２９は危険報知カウントを開始する（Ｓ１７）。
【００３１】
そして、人感センサ１５で浴室内の動きが検知されない時間が続き、危険報知カウントが所定危険報知時間（ここでは３分）に達したら（Ｓ１８）、危険報知を行う（Ｓ１９）。
【００３２】
また、人感センサ１５で浴室内の動きが検知された場合は（Ｓ１６がＮｏ）、その人の動きは出浴したのか浴槽内で身体が動いただけなのかを水位センサ１０で水位差を検出し、入浴判定手段２８で判定する（Ｓ２０）。
判定の結果、入浴判定手段２８が出浴したと判定すると（Ｓ２０がＹｅｓ）、危険報知タイマーを終了して（Ｓ２２）、見まもり運転を完了する。
【００３３】
また、出浴ではなく、浴槽内で身体を動かしただけであれば（Ｓ２０がＮｏ）、危険報知カウントを一度リセットして（Ｓ２１）、Ｓ１６に戻る。
【００３４】
また、この危険報知の繰り返し動作を入浴した人が出浴するか、見まもり運転の設定をＯＦＦにするまで継続する。
【００３５】
次に、見まもり運転時のモニタ表示バー１７及び２３の発光パターンについて図７に基づいて詳しく説明する。
モニタランプ２５をそれぞれ有した５つのエリア２６を一直線に並べたモニタ表示バー１７及び２３である場合、浴室内に人が入室したことを動き判定手段２７で判定すると、モニタ表示バー１７及び２３の中央のエリア２６のモニタランプ２５が点灯し、図６のＡ群のようになり、リモコン付近にいる人に報知を行うことで浴室内に人が入室したことを知ることができる。
【００３６】
その後、入浴判定手段２８が入浴したと判定すると、モニタ表示バー１７及び２３の中央の両隣のエリア２６のモニタランプ２５が点灯し、図６のＢ群のようになり、リモコン付近にいる人に報知を行うことで浴槽内に人が入浴したことを知ることができる。
【００３７】
このとき、設定入浴時間を５本分として２分おきに左から徐々に点灯していくような構成でもよく、この構成によれば、入浴中に風呂リモコン３のモニタ表示バー１７及び２３の目盛りをみることで、残りの入浴時間を正確に知ることができる。
【００３８】
そして、設定入浴時間に達すると、風呂リモコン４のモニタ表示バー１７及び２３の全てのエリア２６が一斉に同じ間隔で点滅し、図６のＣ群のようになり、少なくとも一定時間この報知を続けることで、入浴している人に設定入浴時間に達したことをわかりやすく報知することができる。
【００３９】
さらに、一定時間経過しても入浴中の人に動きがないことをカウントするタイマー手段２９が、所定危険報知時間（ここでは３分）に達すると、図６のＤ群のようにモニタ表示バー１７及び２３の右端のエリア２６と左端のエリア２６を点滅させることで、台所リモコン５の危険報知を視認した人がすぐに浴室２に出向き、溺死や心臓麻痺等の入浴事故にいち早く気づくことができるので、正確な入浴事故防止を行うことができる。
【００４０】
次に、見まもり運転時のモニタ表示バー１７及び２３のモニタランプ２５の配列について図４に基づいて詳しく説明する。図４の（ａ）はモニタランプ２５を１つのエリア２６に２：１：２：１：２の配列で配置したものあり、図４の（ｂ）はモニタランプ２５を１つのエリア２６に３：２：３：２：３の配列で配置したものである。
【００４１】
図４の（ａ）はエリア２６毎にモニタランプ２５を、赤、緑：緑：白、緑：緑：赤、緑と配列した場合、赤色ＬＥＤと白色ＬＥＤは配列によって同色の距離がことなることはないが、緑色ＬＥＤは配置によって同色の距離が異なってしまうので、エリア２６毎の緑色ＬＥＤ同士の距離を等しくしている。
【００４２】
このように、詳しくは、緑色ＬＥＤのみが配置されているエリア２６では、緑色ＬＥＤを中心よりも右にオフセットし、２色配置されているエリア２６の緑色ＬＥＤの位置と同じようにオフセットすることで、エリア２６毎の緑色ＬＥＤ同士の距離を等しくしている。
【００４３】
また、図４の（ｂ）はエリア２６毎にモニタランプ２５を、赤、白、緑：赤、緑：赤、白、緑：赤、緑：赤、白、緑と配列した場合、白色ＬＥＤは配列によって同色の距離が離れてしまうことはないが、緑色ＬＥＤはエリア２９毎の緑色ＬＥＤ同士の距離と、赤色ＬＥＤはエリア２９毎の赤色ＬＥＤ同士の距離を等しくしている。
【００４４】
具体的には、エリア２９毎に配置したモニタランプ２５の数が異なる場合でも、エリア２６ａのように赤色ＬＥＤ、緑色ＬＥＤの距離と、エリア２６ｂの赤色ＬＥＤ、緑色ＬＥＤの距離とがそれぞれのエリア２６に配置された同色のモニタランプが同じ距離になるようにエリア２６の中心からオフセットして配置する。
【００４５】
また、モニタランプ２５の配置方法として、緑色ＬＥＤはエリア２６の中心から一定の距離で、一定の方向にオフセットさせ、さらに、緑色ＬＥＤから赤色ＬＥＤ及び白色ＬＥＤをそれぞれ色毎に等しい距離でオフセットするという方法がある。
【００４６】
このように、異なるエリア２９に有した同色のモニタランプ２５の距離を等しくすることで同色同士の距離がバラバラになり配列バランスが崩れてしまうのを防止して視認性が向上すると共に、規則正しい配列により美観性が向上する。
【００４７】
なお、本発明は実施形態に限定されるものではなく、要旨を変更しない範囲で改変することを妨げるものではなく、例えば、スイッチランプ１６及び２２やモニタ表示バー１７及び２３による発光色を増やすことで、より細かな報知を行うことができる。また、見まもり運転の危険報知のときに危険性を表現する赤色の発光色を使用することで、赤色の発光色を視認した人が緊急であることを理解しやすくすることができる。
【００４８】
また、点滅や点灯など、設定入浴時間や所定危険報知時間などを実施例で記載していることに限定されるものではなく、要旨を変更しない範囲で改変することを妨げるものではく、適宜変更できるものである。
【符号の説明】
【００４９】
１      住宅設備機器
２      浴室
３      風呂リモコン
５      台所リモコン
１７    モニタ表示バー
２３    モニタ表示バー
２４    カバー
２５    モニタランプ
２６    エリア
【図１】
2019106645.tif 000003
【図２】
2019106645.tif 000004
【図３】
2019106645.tif 000005
【図４】
2019106645.tif 000006
【図５】
2019106645.tif 000007
【図６】
2019106645.tif 000008
【図７】
2019106645.tif 000009
【図８】
2019106645.tif 000010